(57)【特許請求の範囲】
【請求項１】
第１パルスレーザ光を用いて発生させた第１レーザ航跡場によって加速された電子バンチを生成する電子バンチ生成部と、
第２パルスレーザ光を用いて発生させた第２レーザ航跡場によって前記電子バンチを制御する電子バンチ制御部と
を有する電子源と、
前記電子源から発せられた前記電子バンチの時間幅を広げるとともに前記電子バンチのエネルギーの時間分散関係を反転させる電子バンチ伸張器と
を備える、電子ビームパルス出射装置。
【請求項２】
前記電子バンチ制御部は、前記電子バンチの位相回転を行う、請求項１に記載の電子ビームパルス出射装置。
【請求項３】
前記第１レーザ航跡場を形成する第１ガス、および前記第２レーザ航跡場を形成する第２ガスを噴出するノズルをさらに備える、請求項１または２に記載の電子ビームパルス出射装置。
【請求項４】
前記電子バンチ伸張器によって広がった前記電子バンチの時間幅を狭くする電子バンチ圧縮器をさらに備える、請求項１から３に記載の電子ビームパルス出射装置。
【請求項５】
請求項１から４に記載の電子ビームパルス出射装置を有する電子加速器と、
イメージング部と
を備える、電子顕微鏡。
【発明の詳細な説明】
【技術分野】
【０００１】
本発明は、電子源、電子ビームパルス出射装置および電子顕微鏡に関する。
【背景技術】
【０００２】
電子を加速して出射する電子源は、例えば、電子顕微鏡や電子加速器に好適に用いられる。典型的には、電子の加速は、静電場または高周波を用いた比較的大型の装置で行われるが、近年、レーザによって発生したレーザ航跡場を用いて電子の加速を行うことが検討されている（例えば、特許文献１参照）。特許文献１には、低密度プラズマ中に発生させたプラズマ航跡波において電子を捕捉して加速することが記載されている。また、特許文献１には、あるレーザ光を用いて生成したプラズマ中の電子を、別のレーザ光を用いて発生させたレーザ航跡場で加速することが記載されている。
【先行技術文献】
【特許文献】
【０００３】
【特許文献１】特開２００３‐５９６９４号公報
【発明の概要】
【発明が解決しようとする課題】
【０００４】
しかしながら、特許文献１の電子の加速方法では、電子バンチを容易に制御できないことがある。
【０００５】
本発明は上記課題を鑑みてなされたものであり、その目的は、電子バンチを容易に制御可能な電子ビームパルス出射装置および電子顕微鏡を提供することにある。
【課題を解決するための手段】
【０００６】
本発明による電子源は、第１パルスレーザ光を用いて発生させた第１レーザ航跡場によって加速された電子バンチを生成する電子バンチ生成部と、第２パルスレーザ光を用いて発生させた第２レーザ航跡場によって前記電子バンチを制御する電子バンチ制御部とを備える。
【０００７】
ある実施形態において、前記電子バンチ制御部は、前記電子バンチの位相回転を行う。
【０００８】
ある実施形態において、前記電子源は、前記第１レーザ航跡場を形成する第１ガス、および前記第２レーザ航跡場を形成する第２ガスを噴出するノズルをさらに備える。
【０００９】
ある実施形態において、前記ノズルは、前記第１パルスレーザ光および前記第２パルスレーザ光の進行方向に平行な断面に沿って非対称な構造を有している。
【００１０】
本発明による電子ビームパルス出射装置は、上記に記載の電子源と、前記電子源から発せられた前記電子バンチの時間幅を広げるとともに前記電子バンチのエネルギーの時間分散関係を反転させる電子バンチ伸張器とを備える。
【００１１】
ある実施形態において、前記電子ビームパルス出射装置は、前記電子バンチ伸張器によって広がった前記電子バンチの時間幅を狭くする電子バンチ圧縮器をさらに備える。
【００１２】
本発明による電子顕微鏡は、上記に記載の電子源を有する電子加速器と、イメージング部とを備える。
【００１３】
本発明による電子顕微鏡は、上記に記載の電子ビームパルス出射装置を有する電子加速器と、イメージング部とを備える。
【発明の効果】
【００１４】
本発明によれば、電子バンチを容易に制御することができる。
【図面の簡単な説明】
【００１５】
【図１】本発明による電子源の実施形態を示す模式図である。
【図２】本実施形態の電子源の一例を示す模式図である。
【図３】本実施形態の電子源の電子バンチ制御部における電子バンチ内の電子のエネルギー（速度）の変化を模式的に示したグラフである。
【図４】（ａ）は第２レーザ航跡場の発生前の電子バンチの空間分布およびエネルギー分布を位相空間で示すグラフであり、（ｂ）は第２レーザ航跡場の通過中の電子バンチの位相空間におけるエネルギー分布を示すグラフであり、（ｃ）は第２レーザ航跡場を通過した後の電子バンチの位相空間におけるエネルギー分布を示すグラフである。
【図５】第２レーザ航跡場に対する第１レーザ航跡場の位相の制御を説明するためのグラフである。
【図６】本実施形態の電子源における２つのレーザ航跡場を示す模式図である。
【図７】（ａ）は本実施形態の電子源におけるガスの濃度分布を示すグラフであり、（ｂ）は本実施形態の電子源における２つのパルスレーザ光およびレーザ航跡場を説明するための模式図である。
【図８】（ａ）は本実施形態の電子源における電子バンチ生成部の模式的な斜視図であり、（ｂ）は（ａ）の模式的な断面図である。
【図９】（ａ）および（ｂ）は、本実施形態の電子源の電子バンチ生成部における電子密度を示した図である。
【図１０】（ａ）および（ｂ）は、本実施形態の電子源の電子バンチ生成部における電子密度とメインパルスの伝播を示した図である。
【図１１】（ａ）および（ｂ）は、本実施形態の電子源の電子バンチ生成部における電子バンチの空間的な広がりを示した図である。
【図１２】本実施形態の電子源における電子バンチ生成部から出射された電子のエネルギー分布を示すグラフである。
【図１３】（ａ）はレーザ軸方向に磁場を印加しない場合の電子バンチの空間分布を示す図であり、（ｂ）はレーザ軸方向に磁場を印加した場合の電子バンチの空間分布を示す図である。
【図１４】本実施形態の電子源の模式図である。
【図１５】（ａ）は本実施形態の電子源におけるノズルの模式的な斜視図であり、（ｂ）は（ａ）に示したノズルのｂ−ｂ線に沿った模式的な断面図であり、（ｃ）は（ａ）に示したノズルのｃ−ｃ線に沿った模式的な断面図である。
【図１６】（ａ）は本実施形態の電子源におけるガスの濃度分布を示すグラフであり、（ｂ）は本実施形態の電子源における２つのパルスレーザ光およびレーザ航跡場を説明するための模式図である。
【図１７】図１５に示したノズルから噴出されたガスの濃度分布を示すグラフである。
【図１８】本実施形態の電子源の模式図である。
【図１９】本発明による電子ビームパルス出射装置を示す模式図である。
【図２０】本実施形態の電子ビームパルス出射装置を示す模式図である。
【図２１】本実施形態の電子ビームパルス出射装置、ならびに、電子バンチの空間分布およびエネルギー分布を示す模式図である。
【図２２】本発明による電子ビームパルス出射装置を示す模式図である。
【図２３】本実施形態の電子ビームパルス出射装置を示す模式図である。
【図２４】本実施形態の電子ビームパルス出射装置、ならびに、電子バンチの空間分布およびエネルギー分布を示す模式図である。
【図２５】本実施形態の電子ビームパルス出射装置を示す模式図である。
【図２６】本発明による電子顕微鏡の実施形態を示す模式図である。
【図２７】本実施形態の電子顕微鏡を示す模式図である。
【発明を実施するための形態】
【００１６】
以下、図面を参照して本発明による電子源、電子ビームパルス出射装置および電子顕微鏡の実施形態を説明する。ただし、本発明は以下の実施形態に限定されない。
【００１７】
まず、図１を参照して、本発明による電子源の実施形態を説明する。図１に、本実施形態の電子源１００の模式図を示す。電子源１００は、電子バンチ生成部１０と、電子バンチ制御部２０とを備えている。電子バンチ生成部１０は、パルスレーザ光Ｌ１を用いて発生させたレーザ航跡場によって加速された電子バンチを生成する。電子バンチ制御部２０は、パルスレーザ光Ｌ２を用いて発生させたレーザ航跡場によって電子バンチを制御する。パルスレーザ光Ｌ１は電子バンチ生成部１０において焦点を形成し、パルスレーザ光Ｌ２は電子バンチ制御部２０において焦点を形成する。
【００１８】
本実施形態の電子源１００によれば、電子バンチ生成部１０において生成した電子バンチは、電子バンチ制御部２０においてパルスレーザ光Ｌ２を用いて発生させたレーザ航跡場によって制御される。このため、電子バンチを容易に制御することができる。例えば、電子バンチ制御部２０により、電子バンチのエネルギースペクトル、電荷量、エミッタンス、バンチ長が制御される。
【００１９】
ここで、図２を参照して本実施形態の電子源１００の一例を説明する。図２に示した電子源１００において、電子バンチ生成部１０はノズルＮ１を有しており、電子バンチ制御部２０はノズルＮ２を有している。
【００２０】
電子バンチ生成部１０において、ほぼ真空下でノズルＮ１から噴出されたガスＧ１にパルスレーザ光Ｌ１が照射されると、多量のイオンおよび電子を含むプラズマが発生するとともに、パルスレーザ光Ｌ１によって発生したプラズマ中の電子の一部は、パルスレーザ光Ｌ１によって発生したレーザ航跡場によって加速され、パルス状の電子ビーム（電子バンチ）が生成される。パルスレーザ光Ｌ１の焦点は、ノズルＮ１から噴出されたガスＧ１の中に位置する。例えば、ガスＧ１は希ガス、水素ガスまたは窒素ガスである。ガスＧ１としてヘリウムガスが好適に用いられる。
【００２１】
また、電子バンチ制御部２０において、ほぼ真空下でノズルＮ２から噴出されたガスＧ２にパルスレーザ光Ｌ２が照射されて発生したレーザ航跡場によって電子バンチが制御される。パルスレーザ光Ｌ２の焦点は、ノズルＮ２から噴出されたガスＧ２の中に位置する。例えば、ガスＧ２は希ガス、水素ガスまたは窒素ガスである。ガスＧ２としてヘリウムガスが好適に用いられる。
【００２２】
例えば、パルスレーザ光Ｌ１はパルスレーザ光Ｌ２よりも先に焦点に到達してもよい。この場合、パルスレーザ光Ｌ１によって電子バンチが生成された後に、パルスレーザ光Ｌ２が電子バンチ制御部２０においてレーザ航跡場を励起する。あるいは、パルスレーザ光Ｌ１はパルスレーザ光Ｌ２よりも後に焦点に到達してもよい。この場合、パルスレーザ光Ｌ２が電子バンチ制御部２０において第２レーザ航跡場を励起した後に、パルスレーザ光Ｌ１が電子バンチを生成する。例えば、パルスレーザ光Ｌ１の焦点に到達する時刻と、パルスレーザ光Ｌ２の焦点に到達する時刻との差は１０ｐｓ以下程度である。
【００２３】
なお、本明細書において、パルスレーザ光Ｌ１を第１パルスレーザ光Ｌ１と記載することがあり、パルスレーザ光Ｌ２を第２パルスレーザ光Ｌ２と記載することがある。また、第１パルスレーザ光Ｌ１によって発生したレーザ航跡場を第１レーザ航跡場と記載し、第２パルスレーザ光Ｌ２によって発生したレーザ航跡場を第２レーザ航跡場と記載することがある。また、ガスＧ１を第１ガスＧ１と記載することがあり、ガスＧ２を第２ガスＧ２と記載することがある。
【００２４】
電子バンチ生成部１０において、高電荷密度の電子バンチを発生させるために、ガスＧ１の濃度はガスＧ２の濃度よりも高いことが好ましい。また、高密度のプラズマを発生させるために、パルスレーザ光Ｌ１の集光強度はパルスレーザ光Ｌ２よりも高いことが好ましい。例えば、パルスレーザ光Ｌ１の集光強度は１０19Ｗ／ｃｍ2のオーダであり、パルスレーザ光Ｌ２の集光強度は１０18Ｗ／ｃｍ2のオーダである。また、電子バンチ制御部２０では、電子バンチを適切に制御するために、第２レーザ航跡場の励起される距離を第１レーザ航跡場よりも長くすることが好ましい。
【００２５】
なお、ガスＧ２としてガスＧ１と同じガスを用いてもよく、異なるガスを用いてもよい。また、第１ガスＧ１および第２ガスＧ２は、図２に示したように、それぞれ異なるノズルＮ１、Ｎ２から噴出されてもよく、あるいは、同一のノズルから噴出されてもよい。典型的には、ガスＧ１の濃度は１０19〜１０20／ｃｍ3であり、ガスＧ２の濃度は１０17〜１０18／ｃｍ3である。なお、詳細は後述するが、第１ガスＧ１および第２ガスＧ２が同一のノズルから噴出される場合、このノズルは、第１パルスレーザ光Ｌ１および第２パルスレーザ光Ｌ２の進行方向に沿った断面において非対称な構造を有していることが好ましい。
【００２６】
電子源１００は、パルス幅の短い電子ビーム（電子バンチ）を出射する電子銃として機能する。例えば、パルスレーザ光Ｌ１は数十フェムト秒オーダのパルス波であり、電子バンチのパルス幅は数フェムト秒から数十フェムト秒のオーダである。また、このような電子源１００による電子バンチは、１ショットあたりの電子数が比較的多い。例えば、電子バンチにおける電子数は１０9〜０10個である。このため、電子源１００を電子顕微鏡に用いた場合、フェムト秒オーダの時間分解能でシングルショットの撮影を行うことができる。このような電子顕微鏡は、破壊現象などの不可逆現象の観察に好適に用いられる。
【００２７】
なお、電子バンチ生成部１０において生成された電子バンチはある程度のエネルギー分布を有している。具体的には、電子バンチは速度の異なる電子を含んでおり、比較的速い電子は比較的高いエネルギー（例えば、数十ＭｅＶ〜数百ＭｅＶ）を有しており、比較的遅い電子は比較的低いエネルギー（例えば、数十ｋｅＶ〜数ＭｅＶ）を有している。なお、電子は、パルスレーザ光Ｌ１がガスＧ１に照射されて生成したプラズマにおいて発生しており、電子バンチが生成した際の空間分布は比較的狭い。具体的には、電子バンチの発生点におけるスポットは数μｍ〜数十μｍであり、その時間幅は数フェムト秒〜数十フェムト秒である。
【００２８】
本実施形態の電子源１００において、電子バンチ制御部２０は、電子バンチのうち比較的速い電子を減速し、電子バンチのうち比較的遅い電子を加速する。このように、電子バンチ制御部２０は、電子バンチの位相回転を行う。
【００２９】
図３に、本実施形態の電子源１００の電子バンチ制御部２０における電子バンチ内の電子のエネルギー（速度）の変化を模式的に示す。図３において横軸はレーザの伝播軸を示しており、縦軸は第２レーザ航跡場の電場強度を示している。
【００３０】
なお、図３は、第２レーザ航跡場において変化する位相を基準に示している。電子バンチは光速に近い速度で移動する。ただし、図３から理解されるように、電子バンチのエネルギーはある程度分散している。図３に示すように、電子バンチ制御部２０において、第１パルスレーザ光Ｌ１によって発生した電子バンチのうち、比較的速い電子（エネルギーの大きい電子）は減速され、比較的遅い電子（エネルギーの小さい電子）は加速される。
【００３１】
ここで、図４を参照して、第２レーザ航跡場による位相回転を説明する。図４（ａ）は第２レーザ航跡場の発生前の電子バンチの位相空間におけるエネルギー分布を示すグラフであり、図４（ｂ）は第２レーザ航跡場の通過中の電子バンチの位相空間におけるエネルギー分布を示すグラフであり、図４（ｃ）は第２レーザ航跡場を通過した後の電子バンチの位相空間におけるエネルギー分布を示すグラフである。図４（ａ）〜図４（ｃ）では、第２レーザ航跡場の位相を基準に、エネルギー分布および空間分布を示している。
【００３２】
図４（ａ）に示すように、電子バンチ生成部１０において生成された電子バンチのパルス幅（バンチ長）は極めて短く、この電子バンチのエネルギー分散は大きい。
【００３３】
図４（ｂ）に示すように、電子バンチが第２レーザ航跡場を進行すると、電子バンチのうちの比較的速い電子（エネルギーの高い電子）が減速されるとともに、比較的遅い電子（エネルギーの低い電子）が加速される。このため、電子バンチのパルス幅が広がり、かつ、エネルギー分散が小さくなる。
【００３４】
図４（ｃ）に示すように、電子バンチが第２レーザ航跡場を通過した後、電子バンチのエネルギー分散は小さくなり、電子バンチのパルス幅は広くなる。広がったパルス幅は、プラズマ波長程度であって、せいぜい数十フェムト秒程度であり、これまでの電子源と比べて極めて短い。このように、第２レーザ航跡場によって電子バンチのパルス幅およびエネルギー分散が制御される。
【００３５】
ここで、図５を参照して、第２レーザ航跡場に対する第１レーザ航跡場の位相の制御を説明する。図５において、レーザ伝播方向の電場をＥｚで示し、レーザ伝播方向に直交する方向（横方向）の電場をＥｒで示している。ここでは、第２レーザ航跡場としてほぼ線形の航跡場を示す。
【００３６】
電場Ｅｚは加速フェーズおよび減速フェーズを繰り返し、電場Ｅｒは発散フェーズおよびフォーカス（横）フェーズを繰り返す。なお、これらのフェーズの切り替わるタイミングは互いに異なっている。電子バンチは、電場Ｅｒがフォーカス（横）フェーズの際に、第２レーザ航跡場に入射される。このとき、電子バンチが第２レーザ航跡場に入射する際に、電場Ｅｚが加速フェーズであると（すなわち、期間αの場合）、電子バンチは加速される。また、電子バンチが第２レーザ航跡場に入射する際に、電場Ｅｚが減速フェーズであると（すなわち、期間βの場合）、電子バンチは減速される。このように、電子バンチは、第２レーザ航跡場に入射するタイミングに応じて加減速され、電子バンチのエネルギーとエネルギー分散は制御される。
【００３７】
本実施形態の電子源１００では、第１パルスレーザ光Ｌ１に対する第２パルスレーザ光Ｌ２のタイミングを任意に調整可能であり、これにより、第２レーザ航跡場に対して入射する電子バンチの位相を容易に制御でき、結果として、電子バンチのエネルギー分布を制御することができる。
【００３８】
図６に、本実施形態の電子源１００におけるパルスレーザ光Ｌ１、Ｌ２およびこれらによって発生したレーザ航跡場を模式的に示す。電子バンチ生成部１０におけるガスＧ１の濃度は比較的高く、電子バンチ制御部２０におけるガスＧ２の濃度は比較的低い。このようなガス濃度の勾配に起因して第１レーザ航跡場が破壊されるため、第１レーザ航跡場を構成していた電子が第２レーザ航跡場に急速に入射する。
【００３９】
上述したように、ガスＧ１、Ｇ２の濃度は異なり、これにより、電子バンチ生成部１０および電子バンチ制御部２０において発生するレーザ航跡場（プラズマ波）の振動数が異なる。ここでは、電子バンチ制御部２０において発生する第２レーザ航跡場の周期は、電子バンチ生成部１０において発生する第１レーザ航跡場の周期よりも長い（すなわち、第２レーザ航跡場の周波数は第１レーザ航跡場よりも短い）。
【００４０】
例えば、電子バンチ生成部１０には、焦点距離の比較的短い集光ミラーを反射した第１パルスレーザ光Ｌ１の焦点が形成される。ここでは、第１パルスレーザ光Ｌ１によって励起された第１レーザ航跡場として非線形レーザ航跡場が形成されている。また、電子バンチ制御部２０には、焦点距離の比較的長い集光ミラーを反射した第２パルスレーザ光Ｌ２の焦点が形成される。ここでは、第２パルスレーザ光Ｌ２によって励起された第２レーザ航跡場として線形レーザ航跡場が形成されている。また、パルスレーザ光Ｌ２が、パルスレーザ光Ｌ１よりも大きいＦ値の集光ミラーで反射することにより、第２レーザ航跡場の励起される距離を第１レーザ航跡場よりも長くすることができる。
【００４１】
例えば、パルスレーザ光Ｌ１、Ｌ２は数十フェムト秒オーダのパルス波である。パルスレーザ光Ｌ１、Ｌ２の波長は同一であってもよい。また、パルスレーザ光Ｌ１、Ｌ２として、同一の光源から出射された光を分離して用いてもよい。
【００４２】
また、ここでは、第１パルスレーザ光Ｌ１および第２パルスレーザ光Ｌ２の焦点が同一軸上にある。これにより、第１パルスレーザ光Ｌ１によって発生した電子バンチに対して第２レーザ航跡場を効率的に作用させることができる。なお、本明細書において、パルスレーザ光Ｌ１、Ｌ２の光軸をレーザ軸と記載することがある。
【００４３】
図７（ａ）に、本実施形態の電子源１００において、ノズルＮ１、Ｎ２から噴出されたガスＧ１、Ｇ２の濃度分布を模式的に示し、図７（ｂ）に、本実施形態の電子源１００におけるパルスレーザ光Ｌ１、Ｌ２およびこれらによって発生したレーザ航跡場の模式図を示す。
【００４４】
ガスＧ１は、比較的狭い幅で、かつ、高い濃度で噴出される。第１パルスレーザ光Ｌ１は、ガスＧ１内に焦点を形成する。一方、ガスＧ２は、比較的長い幅で、かつ、低い濃度で噴出される。第２パルスレーザ光Ｌ２は、ガスＧ２内に焦点を形成する。
【００４５】
パルスレーザ光Ｌ１、Ｌ２は、メインパルスの前に進行する強度の比較的低い成分（プレパルス）を有している。この成分は、強度こそ弱いものの、メインパルスの幅と比べて比較的長い時間にわたって存在しており、その累積的なエネルギーはメインパルスの約１０％程度に達することがある。
【００４６】
ここで、図８〜図１３を参照して、本実施形態の電子源１００における電子バンチ生成部１０の一例をより詳細に説明する。図８（ａ）に、本実施形態の電子源１００における電子バンチ生成部１０の模式的な斜視図を示し、図８（ｂ）に、電子バンチ生成部１０の模式的な断面図を示す。電子バンチ生成部１０は、磁場を印加する磁場形成部１２ａ、１２ｂを有している。磁場形成部１２ａ、１２ｂは、中央に孔の設けられた円盤形状を有しており、磁場形成部１２ａ、１２ｂにより、レーザ軸方向に沿って磁場が形成される。ここでは、磁場形成部１２ａの磁極は、周囲からパルスレーザ光Ｌ１、Ｌ２の光軸の通過する中央に向いており、磁場形成部１２ｂの磁極は、パルスレーザ光Ｌ１、Ｌ２の光軸の通過する中央から周囲に向いている。例えば、磁場形成部１２ａ、１２ｂとして永久磁石が用いられる。
【００４７】
パルスレーザ光Ｌ１のメインパルスが焦点に到達する直前に、ガスＧ１の噴出された領域に、プレパルスに起因してプレプラズマが形成される。プラズマの形状は、磁場形成部１２ａ、１２ｂの磁場効果により、第１パルスレーザ光Ｌ１のメインパルスが焦点に到達する数ｐｓ前に変化する。このように、プレパルスに起因して発生するプレプラズマの形状を変化させて電子バンチのエミッタンスを低減させることができ、電荷量を増加させることができ、電子バンチの品質を向上させることができる。
【００４８】
ここで、図９〜図１１を参照して、磁場の有無による電子密度分布の変化を説明する。図９（ａ）、図１０（ａ）および図１１（ａ）に、磁場を印加しなかった場合の電子密度分布を模式的に示し、図９（ｂ）、図１０（ｂ）および図１１（ｂ）は、パルスレーザ光Ｌ１のメインパルスの焦点付近に磁場を印加した場合の電子密度分布を模式的に示す。ここでは、磁束密度０．２Ｔの磁場を定常的に印加している。ノズルＮ１の長手方向の口径は１．２ｍｍである。また、パルスレーザ光Ｌ１の波長は７９０ｎｍである。
【００４９】
パルスレーザ光Ｌ１のメインパルスが到達する前に、パルスレーザ光Ｌ１の焦点においてガスＧ１がプレパルスによって加熱されてプラズマが発生し、加熱された電子群は膨張するように動く。このとき、所定の磁場を印加することにより、プラズマ内部の温度分布に応じて膨張の速度を制御することができる。例えば、図９（ａ）および図９（ｂ）の比較から理解されるように、磁場の印加により、電子密度分布は、パルスレーザ光Ｌ１の焦点を固定点としてレーザ軸方向に配列された２つのコーン形状を形成する。このような電子密度分布の変化に伴い、メインパルス伝播領域の（プラズマ内部の）屈折率が変化し、メインパルスをガイドする。
【００５０】
なお、このような電子密度の変化は、磁場中で加熱した直後に生じ、パルスレーザ光の通過後は時間とともに元に戻ってしまう。この効果を有効に利用するためには、焦点付近に温度勾配の大きなプラズマを形成することが好ましく、このため、第１パルスレーザ光Ｌ１は、短い焦点距離（小さなＦ値）の集光ミラーを用いて集光することが好ましい。
【００５１】
図１０（ａ）に示すように、磁場を印加しない場合、パルスレーザ光Ｌ１のメインパルスの集光が妨げられ、メインパルスが焦点に到達せずに、メインパルスは広がるように進行する。これに対して、図１０（ｂ）に示すように、磁場を印加した場合、焦点の上流側において、周りの屈折率が高く、中の屈折率が低い、コーン形状のプラズマ領域が形成される。この領域に、メインパルスが侵入すると、屈折率差に起因して、メインパルスがガイドされて広がりが抑制され、高い集光強度が得られる。
【００５２】
その後、図１１（ａ）に示すように、磁場を印加しない場合、発散角の広い電子バンチが発生する。これに対して、図１１（ｂ）に示すように、磁場を印加した場合、発散角の比較的狭い電子バンチが発生する。
【００５３】
図１２に、電子のエネルギーに対する電荷量を示す。第１パルスレーザ光のパルス波形を制御することにより、電子バンチのエネルギー分布を狭くすることができる。
【００５４】
図１３（ａ）に、磁場を印加しない場合のレーザ軸に直交する平面における電子バンチの空間分布を示し、図１３（ｂ）に、磁場を印加した場合のレーザ軸に直交する平面における電子バンチの空間分布を示す。図１３（ａ）と図１３（ｂ）との比較から理解されるように、磁場の印加より、電子バンチのエミッタンスを低減させることができる。
【００５５】
なお、図２を参照した上述した説明では、電子バンチ生成部１０および電子バンチ制御部２０はそれぞれ異なるノズルＮ１およびＮ２を有していたが、本発明はこれに限定されない。
【００５６】
図１４に、本実施形態の電子源１００の模式図を示す。図１４に示した電子源１００では、１つのノズルＮから所定の濃度分布を有するガスＧが噴出される。ノズルＮから噴出されるガスＧは、濃度の高い領域Ｇ１と、濃度の低い領域Ｇ２とを有している。なお、図１４では、発明の理解を容易にするために、濃度の高い領域と、低い領域との境界を直線で示しているが、ガスの濃度はパルスレーザ光Ｌ１、Ｌ２のレーザ軸方向に沿って漸進的に変化してもよい。
【００５７】
ここで、図１５を参照してノズルＮの一例を説明する。図１５（ａ）にノズルＮの模式的な斜視図を示し、図１５（ｂ）に図１５（ａ）のｂ−ｂ線に沿ったノズルＮの模式的な断面図を示し、図１５（ｃ）に図１５（ａ）のｃ−ｃ線に沿ったノズルＮの模式的な断面図を示す。
【００５８】
例えば、ノズルＮのスリットのレーザ軸に沿った長さは約１０ｍｍであり、レーザ軸に直交する方向の長さは約１．２ｍｍである。なお、図１５（ｃ）から理解されるように、ノズルＮには、ラバール形状断面のスリットが設けられており、ノズルＮからガスＧが超音速で噴出されることが好ましい。また、ノズルＮの内部から衝撃波を発生させることにより、濃度のより高い領域と低い領域とを同時に形成することができる。
【００５９】
ここで、図１６を参照して図１５に示したノズルＮを備えた電子源１００を説明する。図１６（ａ）に、図１５に示したノズルＮから噴出されるガスＧの濃度分布を模式的に示し、図１６（ｂ）に、この場合の電子源１００におけるパルスレーザ光Ｌ１、Ｌ２、および、レーザ航跡場を示す。図７との比較から理解されるように、図１５に示したノズルＮから噴出されるガスＧの濃度はレーザ軸方向に沿って連続的に変化している。
【００６０】
図１７に、図１５に示したノズルＮから噴出されたガスＧのレーザ軸方向に沿った濃度分布を示す。図１７から理解されるように、ガスＧの濃度はレーザ軸方向に沿って上流側で高く、下流側で低くなるように調整されている。
【００６１】
なお、上述したように、パルスレーザ光Ｌ１、Ｌ２は同一の光軸を有してもよい。この場合、穴空放物面鏡を用いて、２つのパルスレーザ光Ｌ１、Ｌ２の光軸を同じ光軸にしてもよい。
【００６２】
図１８に、本実施形態の電子源１００の模式図を示す。図１８に示した電子源１００は、電子バンチ生成部１０および電子バンチ制御部２０に加えて、穴空放物面鏡３０を備えている。なお、ここでは、電子バンチ生成部１０は図８を参照して上述したのと同様の磁場形成部１２ａ、１２ｂを有している。
【００６３】
第１パルスレーザ光Ｌ１は、穴空放物面鏡３０によって反射されて進行方向を変更する。例えば、第１パルスレーザ光Ｌ１の集光強度は約１０19Ｗ／ｃｍ2である。また、第１パルスレーザ光Ｌ１のＦ値は約４以下であり、発生する第１レーザ航跡場の励起される距離は比較的短い。
【００６４】
第２パルスレーザ光Ｌ２は、穴空放物面鏡３０の開口部を通過する。例えば、第２パルスレーザ光Ｌ２の集光強度は約１０18Ｗ／ｃｍ2である。また、第２パルスレーザ光Ｌ２のＦ値は約２０であり、発生する第２レーザ航跡場の励起される距離は比較的長い。
【００６５】
なお、ここでは、パルスレーザ光Ｌ１は放物面鏡３０で反射し、パルスレーザ光Ｌ２は放物面鏡３０の穴を通過させたが、本発明はこれに限定されない。パルスレーザ光Ｌ２が放物面鏡３０で反射して、パルスレーザ光Ｌ１が放物面鏡３０の穴を通過してもよい。
【００６６】
また、ここでは、放物面鏡３０として穴の空いたものを用いており、パルスレーザ光Ｌ１、Ｌ２の一方を放物面鏡３０で反射させて、他方を放物面鏡３０の穴を通過させたが、本発明はこれに限定されない。例えば、パルスレーザ光Ｌ１、Ｌ２の両方を放物面鏡３０に反射させて異なる位置に焦点を形成してもよい。例えば、パルスレーザ光Ｌ１、Ｌ２の平行度を微調整することにより、焦点位置を調整することができる。
【００６７】
本実施形態の電子源１００では、電子バンチ生成部１０だけでなく電子バンチ制御部２０においてもレーザ航跡場を形成する。このように、電子バンチを生成するためのパルスレーザ光Ｌ１とは異なるパルスレーザ光Ｌ２を用いてレーザ航跡場を励起することにより、電子バンチの入射する航跡場の位相を制御することができる。これにより、電子バンチの加速および減速ならびにエネルギー分布を制御することができる。
【００６８】
以上のように、本実施形態の電子源１００によれば、コンパクトな構成で短パルスの電子バンチを出射することができる。また、このような電子源１００は、電子バンチ制御部２０において同期させる位相を選択することにより、電子を加速する電子加速器として用いられる。
【００６９】
なお、レーザ航跡場を利用することにより、比較的小さい装置で勾配の大きな加速を行うことができる。例えば、電子源１００では、勾配が１００ＧＶ／ｍ以上の加速を実現できる。また、フェムト秒オーダの時間幅を有する電子バンチに対して比較的短い距離（例えば、数ｍｍ〜数ｃｍ程度）で位相回転を行うことができる。
【００７０】
なお、例えば、電子源１００から発せられる電子バンチのエネルギーは数ＭｅＶである。このような電子源１００は高圧（透過型）電子顕微鏡に好適に用いられる。ただし、電子顕微鏡に用いる場合、電子源１００において生成される電子バンチのエネルギー分布をΔＥ／Ｅ〜１０-4以下程度にすることが好ましい。このように電子バンチのエネルギー分布をさらに狭くすることが望まれる。
【００７１】
上述したように、電子バンチ内には、エネルギーの比較的高い（比較的速い）電子と、エネルギーの比較的低い（比較的遅い）電子とが存在しており、例えば、電子バンチの飛行中に、速度の速い（エネルギーの高い）電子が先にある地点に到達し、速度の遅い（エネルギーの遅い）電子は後に到達する。この場合、電子バンチが進むにつれて、電子バンチの時間幅が広がることになる。このため、電子バンチのエネルギー分布をさらに狭くすることが好ましい。
【００７２】
以下、図１９を参照して本発明による電子ビームパルス出射装置の実施形態を説明する。本実施形態の電子ビームパルス出射装置２００は、上述の電子源１００と、電子源１００から発せられた電子バンチの時間幅を広げるとともに電子バンチのエネルギーの時間分散関係を反転させる電子バンチ伸張器１１０とを備える。電子バンチ伸張器１１０は、磁場によって、電子バンチの時間幅を広げる。
【００７３】
図２０に示すように、電子バンチ伸張器１１０は磁場形成部１１０ａ、１１０ｂ、１１０ｃ、１１０ｄを有してもよい。例えば、磁場形成部１１０ａ、１１０ｂ、１１０ｃ、１１０ｄは、それぞれ、ダイポール磁石によって構成される。磁場形成部１１０ａ、１１０ｂ、１１０ｃ、１１０のそれぞれは、電子バンチ伸張器１１０に入射する前の電子バンチの進行方向に対して垂直な方向に磁場を印加する。例えば、磁場形成部１１０ａ、１１０ｂ、１１０ｃ、１１０ｄはそれぞれ電磁石から構成されてもよい。
【００７４】
ここで、図２１を参照して電子バンチ伸張器１１０における電子バンチのエネルギーの時間分散関係を説明する。
【００７５】
電子バンチ伸張器１１０の磁場により、電子は、電子の進行方向および磁場の方向に対して垂直な方向に力を受ける。なお、磁場の大きさ、および、各電子の速度は時間に対して一定であるため、磁場を受けた電子は、半円軌道を形成するように動く。この場合、電子バンチのうち比較的速い電子（Ｅａ）は曲がりにくく、半径の大きい円の半円を描くように動き、飛行距離が長くなる。これに対して、電子バンチのうち比較的遅い電子（Ｅｃ）は、曲がりやすく、半径の小さい円の半円を描くように動き、飛行距離が短くなる。このため、電子バンチ伸張器１１０に入射する前の電子バンチには比較的速い電子（Ｅａ）が上流側に存在し、比較的遅い電子（Ｅｃ）が下流側に存在しているのに対して、電子バンチ伸張器１１０から出射される際の電子バンチには比較的速い電子（Ｅａ）が下流側に存在しており、比較的遅い電子（Ｅｃ）が上流側に存在している。
【００７６】
なお、ここでは、磁場形成部１１０ａ、１１０ｄは互いにほぼ同じ磁石を用いており、磁場形成部１１０ａ、１１０ｄにおける磁石の大きさおよび磁場の強度はほぼ等しい。また、磁場形成部１１０ｂ、１１０ｃとして互いにほぼ同じ磁石を用いており、磁場形成部１１０ｂ、１１０ｃにおける磁石の大きさおよび磁場の強度はほぼ等しい。このような磁場形成部１１０ａ、１１０ｂ、１１０ｃ、１１０ｄにより、電子バンチ伸張器１１０から出射される際の電子の速度（エネルギー）による電子バンチの空間的な収差が抑制される。
【００７７】
このような電子バンチの伸張は、チャープパルス増幅（Ｃｈｉｒｐｅｄ  Ｐｕｌｓｅ  Ａｍｐｌｉｆｉｃａｔｉｏｎ）における光パルスの伸張に対応している。なお、電子バンチ伸張器１１０では、電子バンチの時間幅を広げた後に、エネルギーの高い電子が電子バンチの後方に存在し、エネルギーの低い電子が電子バンチの先方に存在しており、電子バンチのエネルギーの時間分散関係が反転している。このため、電子バンチの時間幅を広げた後、電子バンチは自動的に時間的に圧縮され、電子バンチの時間幅は狭くなる。
【００７８】
ここでは、電子バンチ伸張器１１０は、電子バンチにおける電子のエネルギーの時間分散関係を反転させた後、電子源１００から出射される電子バンチを電子源１００から発せられた電子バンチと同じ軸上に出射される。このため、アライメントを比較的容易に行うことができ、省スペース化を図ることができる。
【００７９】
なお、上述したように、磁場形成部１１０ａ、１１０ｂ、１１０ｃ、１１０ｄでは、電子バンチ内の電子がエネルギー（速度）に応じて分離されて動く。この際に、特定のエネルギーを有する電子のみを取り出すように（他のエネルギーを有する電子を遮蔽するように）スリットを設けてもよい。これにより、エネルギー分布の狭い電子バンチを実現することができる。また、このスリットの開口部の位置を移動可能に構成することにより、エネルギー分布の選択された電子バンチを実現することができる。
【００８０】
なお、上述したように、電子バンチの時間幅を広げた後に、いずれかの位置で、電子バンチの時間幅は狭くなる。ただし、電子バンチの時間幅が狭くなるまで、比較的長い距離が必要となることがある。このため、チャープパルス増幅と同様に、電子バンチを伸張した後に電子バンチの圧縮を行ってもよい。
【００８１】
図２２に示すように、本実施形態の電子ビームパルス出射装置２００は、電子バンチ伸張器１１０において広がった時間幅を狭くする電子バンチ圧縮器１２０をさらに備えてもよい。電子バンチ圧縮器１２０により、電子バンチの時間幅が最短になるまでの距離を短くすることができる。なお、電子バンチ内の電子は概ね同じ方向に移動するが、厳密には、電子の進行方向は発散成分が含まれることがある。このため、電子バンチの時間幅が最短になるまでの距離は比較的短いことが好ましい。
【００８２】
図２３に示すように、電子バンチ圧縮器１２０は、磁場形成部１２０ａ、１２０ｂ、１２０ｃ、１２０ｄを有している。例えば、磁場形成部１２０ａ、１２０ｂ、１２０ｃ、１２０ｄは、それぞれ電磁石から構成されてもよい。
【００８３】
電子バンチ圧縮器１２０により、電子バンチの時間幅が最短になるまでの距離を短くすることができる。また、磁場形成部１２０ａ、１２０ｂ、１２０ｃ、１２０ｄを電磁石で構成することにより、電子バンチの時間幅が最短になるまでの距離を任意に調整することができる。
【００８４】
また、電子バンチ内の電子密度が高いと、クーロン反発で電子バンチが空間的かつ時間的に広がってしまうことがあるが、電子バンチ伸張器１１０によって電荷密度を低下させて、電子バンチ圧縮器１２０によって電子密度の高い時間を短くすることにより、電子バンチの空間的かつ時間的な分布の広がりを抑えることができる。
【００８５】
ここで、図２４を参照して電子バンチ圧縮器１２０における電子バンチのエネルギーの時間分散関係の変化を説明する。
【００８６】
電子バンチ圧縮器１２０の磁場により、電子は、電子の進行方向および磁場の方向に対して垂直な方向に力を受ける。なお、磁場の大きさ、および、各電子の速度は時間に対して一定であるため、磁場を受けた電子は、円の一部（円周角が９０°未満の弧部分）の軌道を形成するように動く。この場合、電子バンチのうち比較的速い電子（Ｅａ）は飛行距離が短くなる。これに対して、電子バンチのうち比較的遅い電子（Ｅｃ）は、飛行距離が長くなる。
【００８７】
また、上述したように、磁場形成部１２０ａ、１２０ｂ、１２０ｃ、１２０ｄでは、電子バンチ内の電子がエネルギー（速度）に応じて分離される。この際に、特定のエネルギーを有する電子のみを取り出すように（他のエネルギーを有する電子を遮蔽するように）スリットを設けてもよい。これにより、エネルギー分布の狭い電子バンチを実現することができる。また、このスリットの開口部の位置を移動可能に構成することにより、エネルギー分布の選択された電子バンチを実現することができる。
【００８８】
図２５に、本実施形態の電子ビームパルス出射装置２００の模式的な斜視図を示す。ここでは、電子源１００は、電子バンチ生成部１０および電子バンチ制御部２０に加えて図１８を参照して上述した穴空放物面鏡３０を有している。また、図２５に示した電子ビームパルス出射装置２００は、電子源１００に加えて、図２０および図２１を参照して上述した電子バンチ伸張器１１０、および、図２３および図２４を参照して上述した電子バンチ圧縮器１２０を備えている。
【００８９】
なお、電子バンチは真空下で輸送されるが、電子バンチ伸張器１１０および電子バンチ圧縮器１２０のそれぞれは真空下に配置されてもよく、大気圧下に配置されてもよい。以上のように、本実施形態の電子ビームパルス出射装置２００では、電子バンチの伸張および圧縮を行い、下流の任意の位置において電子バンチ長が最も短くなるように制御してもよい。また、ここでは図示していないが、電子バンチ伸張器１１０、電子バンチ圧縮器１２０の近傍に電子レンズを設置することにより、電子バンチの発散を抑制することが好ましい。
【００９０】
また、上述した電子源１００または電子ビームパルス出射装置２００は電子顕微鏡に好適に用いられる。以下、図２６を参照して本発明による電子顕微鏡の実施形態を説明する。本実施形態の電子顕微鏡３００は、図２５を参照して上述した電子源１００を有する電子加速器３１０と、イメージング部３２０とを備えている。イメージング部３２０は電子レンズ系および撮像部を有している。ここでは、電子加速器３１０は、電子源１００に加えて電子バンチ伸張器１１０および電子バンチ圧縮器１２０を有しており、すなわち、電子加速器３１０は、図２５を参照して上述した電子ビームパルス出射装置２００を有している。イメージング部３２０は、電子源１００または電子ビームパルス出射装置２００から出射された電子バンチをターゲットＴに照射した後に、ターゲットＴにおいて回折された電子を撮像する。
【００９１】
本実施形態の電子顕微鏡３００は時間的・空間的に高い分解能でターゲットＴの撮像を行うことができる。このような電子顕微鏡３００を用いることにより、シングルショットで原子スケール且つフェムト秒の時間空間分解能を実現することができる。電子顕微鏡３００は、局所的な不可逆現象、格子欠陥および破壊現象などを撮像することができる。
【００９２】
図２７に示すように、電子顕微鏡３００は、ポンププローブ法による観察に好適に用いられる。例えば、電子顕微鏡３００は、非平衡圧縮時の衝撃波による結晶構造の変化の観察に好適に用いられる。
【００９３】
レーザ光源４００から出射されたレーザ光は、スプリッタによって分離される。パルスレーザ光Ｌａは電子源１００を励起するために用いられ、パルスレーザ光ＬｂはターゲットＴのポンプ光として用いられ、パルスレーザ光Ｌｃはイメージング部３２０の駆動パルスとして用いられる。例えば、レーザ光源４００はフェムト秒レーザである。
【００９４】
なお、上述したように、電子源１００または電子ビームパルス出射装置２００は電子顕微鏡３００以外の用途に用いてもよい。例えば、図２６に示した電子顕微鏡３００において観察されるべきターゲットＴの位置にターゲットＴに代えて加速器を配置することにより、短パルスの高エネルギー加速器を作製することができる。この場合、加速器として、高周波加速器を用いてもよく、あるいは、レーザ航跡場加速器を用いてもよい。これにより、高エネルギー電子加速器を実現することができる。例えば、Ｘ線自由電子レーザの加速器として電子源１００または電子源１００を備える電子ビームパルス出射装置２００を用いてもよい。
【産業上の利用可能性】
【００９５】
本発明によれば、電子バンチを容易に制御可能な電子源を提供できる。例えば、電子源は、狭エネルギースペクトル、大電荷量、極低エミッタンスおよび／または極短バンチ長の電子バンチを出射する。このような電子源は、電子顕微鏡または電子バンチ加速装置に好適に用いられる。
【符号の説明】
【００９６】
１０  電子バンチ生成部
２０  電子バンチ制御部
１００  電子源
１１０  電子バンチ伸張器
１２０  電子バンチ圧縮器
２００  電子ビームパルス出射装置
３００  電子顕微鏡
３１０  電子加速器
３２０  イメージング部
【図１】
0005911699.tif 000002
【図２】
0005911699.tif 000003
【図３】
0005911699.tif 000004
【図４】
0005911699.tif 000005
【図５】
0005911699.tif 000006
【図６】
0005911699.tif 000007
【図７】
0005911699.tif 000008
【図８】
0005911699.tif 000009
【図９】
0005911699.tif 000010
【図１０】
0005911699.tif 000011
【図１１】
0005911699.tif 000012
【図１２】
0005911699.tif 000013
【図１３】
0005911699.tif 000014
【図１４】
0005911699.tif 000015
【図１５】
0005911699.tif 000016
【図１６】
0005911699.tif 000017
【図１７】
0005911699.tif 000018
【図１８】
0005911699.tif 000019
【図１９】
0005911699.tif 000020
【図２０】
0005911699.tif 000021
【図２１】
0005911699.tif 000022
【図２２】
0005911699.tif 000023
【図２３】
0005911699.tif 000024
【図２４】
0005911699.tif 000025
【図２５】
0005911699.tif 000026
【図２６】
0005911699.tif 000027
【図２７】
0005911699.tif 000028